(57)【特許請求の範囲】
【請求項１】
映像ストリームから生成された再生信号に基づく映像を表示する表示装置における表示方法であって、
前記映像ストリームは、輝度のダイナミックレンジの最大値が所定の輝度値を超える第１のダイナミックレンジで構成され、
前記表示装置は、前記第１のダイナミックレンジよりも狭い第２のダイナミックレンジで映像を表示する能力を有し、
（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信し、
受信した前記第１の再生信号または前記第２の再生信号に基づく映像を表示し、
前記映像ストリームは、ハイブリッド型のＯＥＴＦに基づいて量子化されているか否かを示す情報を含む、
表示方法。
【請求項２】
映像ストリームから生成された再生信号に基づく映像を表示する表示装置であって、
前記映像ストリームは、輝度のダイナミックレンジの最大値が所定の輝度値を超える第１のダイナミックレンジで構成され、
前記表示装置は、前記第１のダイナミックレンジよりも狭い第２のダイナミックレンジで映像を表示する能力を有し、
（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信する受信部と、
受信した前記第１の再生信号または前記第２の再生信号に基づく映像を表示する表示部と、を備え、
前記映像ストリームは、ハイブリッド型のＯＥＴＦに基づいて量子化されているか否かを示す情報を含む、
表示装置。
【発明の詳細な説明】
【技術分野】
【０００１】
本開示は、表示方法および表示装置に関する。
【背景技術】
【０００２】
従来、表示可能な輝度レベルを改善するための画像信号処理装置が開示されている（例えば特許文献１参照）。
【先行技術文献】
【特許文献】
【０００３】
【特許文献１】特開２００８−１６７４１８号公報
【発明の概要】
【発明が解決しようとする課題】
【０００４】
ところで、表示装置は、適切に映像が表示されるように映像信号を変換する必要がある。
【０００５】
本開示は、適切に映像を表示させることができる表示方法などを提供する。
【課題を解決するための手段】
【０００６】
本開示の一態様に係る表示方法は、映像ストリームから生成された再生信号に基づく映像を表示する表示装置における表示方法であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信し、受信した前記第１の再生信号または前記第２の再生信号に基づく映像を表示し、前記映像ストリームは、ハイブリッド型のＯＥＴＦに基づいて量子化されているか否かを示す情報を含む。
【０００７】
また、本開示の一態様に係る表示装置は、映像ストリームから生成された再生信号に基づく映像を表示する表示装置であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信する受信部と、受信した前記第１の再生信号または前記第２の再生信号に基づく映像を表示する表示部と、を備え、前記映像ストリームは、ハイブリッド型のＯＥＴＦに基づいて量子化されているか否かを示す情報を含む。
【発明の効果】
【０００８】
上記態様によれば、表示装置に適切に映像を表示させることができる。
【図面の簡単な説明】
【０００９】
【図１】図１は、各種ＢＤと、各種表示装置とに対応してＢｌｕ−ｒａｙ（登録商標）機器が行う処理内容を示す模式図である。
【図２】図２は、ハイブリッド型のＥＯＴＦ対応のＨＤＲストリームが記録されたＢＤを、Ｂｌｕ−ｒａｙ（登録商標）機器で再生する場合の処理内容を示す模式図である。
【図３】図３は、ハイブリッド型のＯＥＴＦおよびハイブリッド型のＥＯＴＦの概要について説明するための図である。
【図４】図４は、各ＯＥＴＦについて比較するための図である。
【図５】図５は、図４の暗部領域（低輝度領域）を拡大した図である。
【図６Ａ】図６Ａは、ＰＱのＯＥＴＦを用いて輝度値が量子化されたＨＤＲストリームをＨＤＲＴＶおよびＳＤＲＴＶに送信／配信する場合を説明するための図である。
【図６Ｂ】図６Ｂは、ハイブリッド型のＯＥＴＦを用いて輝度値が量子化されたＨＤＲストリームをＨＤＲＴＶおよびＳＤＲＴＶに送信／配信する場合を説明するための図である。
【図７】図７は、ＯＴＴサービスからのＳＤＲストリームおよびＨＤＲストリームがＴＶに提供される場合について説明するための図である。
【図８】図８は、ＯＴＴサービスからのＳＤＲストリームおよびＨＤＲストリームがＢｌｕ−ｒａｙ（登録商標）機器またはＯＴＴ  ＳＴＢを介してＴＶに提供される場合について説明するための図である。
【図９】図９は、ＯＴＴサービスからのハイブリッド型ストリームがＴＶに提供される場合について説明するための図である。
【図１０】図１０は、ＯＴＴサービスからのハイブリッド型ストリームがＢｌｕ−ｒａｙ（登録商標）機器またはＯＴＴ  ＳＴＢを介してＴＶに提供される場合について説明するための図である。
【図１１】図１１は、次世代Ｂｌｕ−ｒａｙ（登録商標）用のＨＤＲの概要について説明するための図である。
【図１２】図１２は、オープンベースのＨＤＲ技術の一例について説明するための図である。
【図１３】図１３は、オープンベースのＨＤＲ技術の他の一例について説明するための図である。
【図１４】図１４は、ＨＤＲマスターの仕様例（Ｍａｎｄａｔｏｒｙ  ｐａｒｔ）を示す表をあらわす図である。
【図１５】図１５は、各種ＢＤと、各種表示装置とに対応してＢｌｕ−ｒａｙ（登録商標）機器が行う処理内容の他の一例を示す模式図である。
【図１６】図１６は、我々が提案するＨＤＲマスターの仕様（Ｍａｎｄａｔｏｒｙ  ｐａｒｔ）を示す表をあらわす図である。
【図１７】図１７は、各種ＢＤと、各種表示装置とに対応してＢｌｕ−ｒａｙ（登録商標）機器が行う処理内容の他の一例を示す模式図である。
【図１８】図１８は、ＳＤＲＴＶでの輝度変換について説明するグラフである。
【図１９】図１９は、ＨＤＲＴＶでの輝度変換について説明するグラフである。
【発明を実施するための形態】
【００１０】
（本開示の基礎となった知見）
本発明者は、「背景技術」の欄において記載した、画像信号処理装置に関し、以下の課題が生じることを見出した。
【００１１】
これまで、映像の高画質化としては、画素数の拡大に主眼がおかれ、Ｆｕｌｌ  ＨＤ（ＦＨＤ：Ｆｕｌｌ  Ｈｉｇｈ  Ｄｅｆｉｎｉｔｉｏｎ）と呼ばれる１９２０×１０８０画素の映像、あるいは、２０４８×１０８０画素の映像が普及するに至っている。近年、映
像の更なる高画質化を目指して、３８４０ｘ１９２０画素、あるいは、４０９６×１９２０画素といった、所謂４Ｋ映像の導入が開始されている。そしてさらに、映像の高解像度化を行うと共に、ダイナミックレンジや色域の拡大、あるいは、フレームレートの向上などを行うことで映像を高画質化することが検討されている。
【００１２】
その中でも、ダイナミックレンジについては、従来の映像における暗部階調を維持しつつ、現行のＴＶ信号では表現不能な鏡面反射光などの明るい光を、より現実に近い明るさで表現するために最大輝度値を拡大した輝度のダイナミックレンジに対応させた方式として、ＨＤＲ（Ｈｉｇｈ  Ｄｙｎａｍｉｃ  Ｒａｎｇｅ）が注目されている。具体的には、これまでのＴＶ信号が対応しているダイナミックレンジの方式は、ＳＤＲ（Ｓｔａｎｄａｒｄ  Ｄｙｎａｍｉｃ  Ｒａｎｇｅ）と呼ばれ、最大輝度値が１００ｎｉｔであったのに対して、ＨＤＲでは１０００ｎｉｔ以上まで最大輝度値を拡大することが想定されている。ＨＤＲは、ＳＭＰＴＥ（Ｓｏｃｉｅｔｙ  ｏｆ  Ｍｏｔｉｏｎ  Ｐｉｃｔｕｒｅ  ＆  Ｔｅｌｅｖｉｓｉｏｎ  Ｅｎｇｉｎｅｅｒｓ）やＩＴＵ−Ｒ（Ｉｎｔｅｒｎａｔｉｏｎａｌ  Ｔｅｌｅｃｏｍｍｕｎｉｃａｔｉｏｎｓ  Ｕｎｉｏｎ  Ｒａｄｉｏｃｏｍｍｕｎｉｃａｔｉｏｎｓ  Ｓｅｃｔｏｒ）などにおける標準化が進行中である。ＨＤＲの具体的な適用先としては、放送やＢＤ（Ｂｌｕ−ｒａｙ（登録商標）  Ｄｉｓｃ）などが想定される。
【００１３】
Ｂｌｕ−ｒａｙ（登録商標）では、ＥＯＴＦ（Ｅｌｅｃｔｒｏ−Ｏｐｔｉｃａｌ  Ｔｒａｎｓｆｅｒ  Ｆｕｎｃｔｉｏｎ）としてＰＱのＥＯＴＦ（「ＰＱカーブ」または「ＳＭＰＴＥ  ２０８４」とも言う。）を使うＨＤＲの方式には、次に示す課題がある。なお、ＥＯＴＦについては後述する。
【００１４】
まず、ＨＤＲからＳＤＲへの変換の技術の標準方式が確立していないため、当該変換はＢｌｕ−ｒａｙ（登録商標）機器のメーカが独自方式で実装することになる。このため、コンテンツ制作者は、ＨＤＲからＳＤＲに変換後の映像をＳＤＲ対応のＴＶ（以下、「ＳＤＲＴＶ」と言う。）上では、確認することが難しく、コンテンツ制作者の意図（Ｄｉｒｅｃｔｏｒ’ｓ  Ｉｎｔｅｎｔ）をＳＤＲ変換後の映像に含めることは難しいという課題がある。
【００１５】
この課題を解決するため、映画会社は、ＨＤＲとＳＤＲとの両方に対応した映像ストリームを予め用意して、１つのディスク（例えばＢＤ）に両方の映像ストリームを入れる、または、１つのパッケージとして、ＳＤＲに対応した映像ストリーム（以下、「ＳＤＲストリーム」と言う。）が記録されたＢＤと、ＨＤＲに対応した映像ストリーム（以下、「ＨＤＲストリーム」と言う。）が記録されたＢＤとを入れて販売する必要がある。また、インターネット配信（ＯＴＴ：Ｏｖｅｒ  ｔｈｅ  Ｔｏｐ）の場合は、ネットワークサーバにＳＤＲストリームおよびＨＤＲストリームの両方を用意する必要がある。
【００１６】
一方で、ユーザは、使用しようとしているＴＶがＨＤＲ対応のＴＶ（以下、「ＨＤＲＴＶ」と言う。）であるか、および、再生しようとしているＢＤ（またはコンテンツ、サービスなど）がＨＤＲ対応のＢＤ（ＯＴＴの場合は、ＨＤＲサービス）であるかを意識して選択する必要がある。つまり、ユーザは、自分の持っているＴＶがＨＤＲＴＶかどうかを確かめる必要があり、現状のＳＤＲＴＶの場合は、ＳＤＲストリームが記録されたＢＤかＳＤＲストリームを選択しないと、適切な表示がなされないため、コンテンツを視聴することができない。これにより、ユーザからのクレームに繋がるリスクがある。また、２つのＢＤにそれぞれＳＤＲストリームとＨＤＲストリームとを別々に入れた場合は、ＳＤＲＴＶのユーザはＨＤＲストリームが入ったＢＤを再生した場合、白茶けた映像になり、ＴＶまたはＢｌｕ−ｒａｙ（登録商標）機器が壊れたと誤解する恐れがある。
【００１７】
Ｂｌｕ−ｒａｙ（登録商標）で検討されていた、ＰＱのＥＯＴＦのみを使うＨＤＲの方式では、前記の課題があった。そこで、暗い部分（低輝度領域）はＢＴ．７０９のガンマカーブ（ＳＤＲに対応したＥＯＴＦ）と互換性があるＥＯＴＦの技術をベースにした、ＥＯＴＦ（以下、「ハイブリッド型のＥＯＴＦ」と言う。）を追加し、併用できるようにすることにより前記課題を解決することを図るものである。
【００１８】
つまり、本発明者は、上記課題を解決するために、下記の改善策を検討した。
【００１９】
本開示の一態様に係る表示方法は、映像ストリームから生成された再生信号に基づく映像を表示する表示装置における表示方法であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信し、受信した前記第１の再生信号または前記第２の再生信号に基づく映像を表示し、前記映像ストリームは、ハイブリッド型のＯＥＴＦに基づいて量子化されているか否かを示す情報を含む。
【００２０】
また、本開示の一態様に係る表示装置は、映像ストリームから生成された再生信号に基づく映像を表示する表示装置であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信する受信部と、受信した前記第１の再生信号または前記第２の再生信号に基づく映像を表示する表示部と、を備え、前記映像ストリームは、ハイブリッド型のＯＥＴＦに基づいて量子化されているか否かを示す情報を含む。
【００２１】
本開示の一態様に係る表示方法は、映像ストリームから生成された再生信号に基づく映像を表示する表示装置における表示方法であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信し、受信した前記第１の再生信号または前記第２の再生信号に基づく映像を表示し、前記映像ストリームは、ハイブリッド型のＯＥＴＦに基づいて量子化されていない場合、ＳＭＰＴＥ２０８４  ＯＥＴＦにより量子化されている。
【００２２】
また、本開示の一態様に係る表示装置は、映像ストリームから生成された再生信号に基づく映像を表示する表示装置であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信する受信部と、受信した前記第１の再生信号または前記第２の再生信号に基づく映像を表示する表示部と、を備え、前記映像ストリームは、ハイブリッド型のＯＥＴＦに基づいて量子化されていない場合、ＳＭＰＴＥ２０８４ＯＥＴＦにより量子化されている。
【００２３】
本開示の一態様に係る表示方法は、映像ストリームから生成された再生信号に基づく映像を表示する表示装置における表示方法であって、前記映像ストリームは、輝度のダイナミックレンジの最大値が所定の輝度値を超える第１のダイナミックレンジで構成され、前記表示装置は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信し、受信した前記第１の再生信号または前記第２の再生信号に基づく映像を表示する。
【００２４】
また、本開示の一態様に係る表示装置は、映像ストリームから生成された再生信号に基づく映像を表示する表示装置であって、前記映像ストリームは、輝度のダイナミックレンジの最大値が所定の輝度値を超える第１のダイナミックレンジで構成され、前記表示装置
は、前記第１のダイナミックレンジよりも狭い第２のダイナミックレンジで映像を表示する能力を有し、（１）ハイブリッド型のＯＥＴＦに基づいて量子化された第１の映像ストリームの輝度に対して、前記第１のダイナミックレンジから前記第２のダイナミックレンジに変換する輝度変換を行わずに、前記第１の映像ストリームの再生を行うことで得られた第１の再生信号、または（２）ハイブリッド型のＯＥＴＦに基づいて量子化されていない第２の映像ストリームの輝度に対して、前記輝度変換を行い、当該輝度変換が行われた前記第２の映像ストリームの再生を行うことにより得られた第２の再生信号を受信する受信部と、受信した前記第１の再生信号または前記第２の再生信号に基づく映像を表示する表示部と、を備える。
【００２５】
また、本開示の一態様に係る再生方法は、映像ストリームの再生を行い、前記再生を行うことで得られた再生信号を表示装置に出力する再生方法であって、前記映像ストリームは、輝度のダイナミックレンジの最大値が１００ｎｉｔを超える第１のダイナミックレンジで構成され、前記表示装置は、前記第１のダイナミックレンジよりも狭い第２のダイナミックレンジで映像を表示する表示装置であり、前記映像ストリームがハイブリッド型のＯＥＴＦに基づいて量子化されているか否かを判定し、前記映像ストリームがハイブリッド型のＯＥＴＦに基づいて量子化されていると判定した場合は、前記映像ストリームの輝度に対して、前記第１のダイナミックレンジから前記第２のダイナミックレンジに変換する輝度変換を行わずに、前記映像ストリームの再生を行うことで得られた第１の再生信号を出力し、前記映像ストリームがハイブリッド型のＯＥＴＦに基づいて量子化されていないと判定した場合は、前記映像ストリームに対して前記輝度変換を行い、前記映像ストリームに対して前記輝度変換および前記再生を行うことにより得られた第２の再生信号を出力する。
【００２６】
これによれば、表示装置に適切に映像を表示させることができる。
【００２７】
また、例えば、前記ハイブリッド型のＯＥＴＦは、低輝度領域において前記第２のダイナミックレンジに対応したＯＥＴＦと互換性を有する前記第１のダイナミックレンジに対応したＯＥＴＦであってもよい。
【００２８】
また、例えば、前記映像ストリームは、ハイブリッド型のＯＥＴＦに基づいて量子化されていない場合、ＳＭＰＴＥ２０８４  ＯＥＴＦにより量子化されていてもよい。
【００２９】
また、例えば、前記映像ストリームは、ハイブリッド型のＯＥＴＦに基づいて量子化されているか否かを示す情報を含んでもよい。
【００３０】
また、例えば、前記映像ストリームは、ハイブリッド型のＯＥＴＦに基づいて量子化されている場合、静的メタデータとしてＭａｓｔｅｒｉｎｇ  ｄｉｓｐｌａｙ  ｃｏｌｏｒ
ｖｏｌｕｍｅ  ＳＥＩ  ｍｅｓｓａｇｅにより示される情報と、当該映像ストリームが示すコンテンツのピーク輝度を示すピーク輝度情報とを含んでもよい。
【００３１】
また、例えば、前記コンテンツのピーク輝度は、１０００ｎｉｔであってもよい。
【００３２】
なお、これらの全般包括的または具体的な態様は、装置、システム、集積回路、コンピュータプログラムまたはコンピュータ読み取り可能なＣＤ−ＲＯＭなどの記録媒体で実現されてもよく、装置、システム、集積回路、コンピュータプログラムまたは記録媒体の任意な組み合わせで実現されてもよい。
【００３３】
上記の改善策を行うことにより、コンテンツ制作者（スタジオ）は、ＨＤＲストリームの作成にハイブリッド型のＥＯＴＦの逆関数（ＯＥＴＦ：Ｏｐｔｉｃａｌ−Ｅｌｅｃｔｒ
ｏ  Ｔｒａｎｓｆｅｒ  Ｆｕｎｃｔｉｏｎ）を採用する場合は、ＳＤＲＴＶでの表示内容を事前に確定できるため、ＨＤＲストリームをＳＤＲＴＶで見る場合の画質を事前に確認できる。このため、スタジオは、ハイブリッド型のＯＥＴＦを用いて作成したＨＤＲストリームをＳＤＲＴＶに表示させた場合の表示内容が良いと確認できた場合は、ハイブリッド型のＯＥＴＦを用いればよい。
【００３４】
また、スタジオは、ハイブリッド型のＯＥＴＦを採用した場合のＳＤＲＴＶでの表示内容が不十分と判断した場合は、ＰＱカーブを用いたＨＤＲの方式によるＨＤＲストリームとＳＤＲストリームとの組み合わせでサービスを行うことで、コンテンツ制作者の意図（Ｄｉｒｅｃｔｏｒ’ｓ  Ｉｎｔｅｎｔ）を反映してもよい。
【００３５】
映画会社は、ハイブリッド型のＯＥＴＦを用いて作成したＳＤＲＴＶの画像に満足する場合は、ハイブリッド型のＯＥＴＦを用いて作成したＨＤＲストリームのみを用意すればよいため、ＨＤＲストリームおよびＳＤＲストリームの両方を用意する必要がなくなる。また、この場合、ユーザは、ＨＤＲＴＶ、ＨＤＲ対応のＢＤ、ＨＤＲ対応のＯＴＴサービス等を意識して選択する必要はなくなる。
【００３６】
図１は、各種ＢＤと、各種表示装置とに対応してＢｌｕ−ｒａｙ（登録商標）機器が行う処理内容の一例を示す模式図である。
【００３７】
図１に示すように、ＢＤ（次世代ＢＤ）には、映像の輝度値がＰＱのＯＥＴＦ（Ｏｐｔｉｃａｌ−Ｅｌｅｃｔｒｏ  Ｔｒａｎｓｆｅｒ  Ｆｕｎｃｔｉｏｎ）」とも言う。）を用いて量子化されたＨＤＲストリームが記録された第１のＢＤと、映像の輝度値がＢＴ．７０９のＯＥＴＦを用いて量子化されたＳＤＲストリームが記録された第２のＢＤとがある。なお、映像の輝度値がＢＴ．１８８６のＯＥＴＦ（「ガンマ２．４カーブ」とも言う）を用いて量子化されたＳＤＲストリームが記録されたＢＤを第２のＢＤとしてもよい。
【００３８】
第１のＢＤをＢｌｕ−ｒａｙ（登録商標）機器（次世代Ｂｌｕ−ｒａｙ（登録商標）機器）で再生する場合について説明する。なお、図１以降では、ＨＤＲストリームに対応した処理の流れを実線の矢印で表記し、ＳＤＲストリームに対応した処理の流れを破線の矢印で表記する。
【００３９】
Ｂｌｕ−ｒａｙ（登録商標）機器がＨＤＲストリームに対応した表示（以下、「ＨＤＲ表示」と言う。）に対応したＨＤＲＴＶ（ＨＤＲ  Ｒｅａｄｙ  ＴＶ）にＨＤＭＩ（登録商標）２．０以降の通信インタフェースにより接続されている場合、第１のＢＤに記録されているＨＤＲストリームは、Ｂｌｕ−ｒａｙ（登録商標）機器のビデオデコーダ（ＨＤＲ（ＳＤＲ）  Ｖｉｄｅｏ  Ｄｅｃｏｄｅｒ）によりデコードされる。デコードされることにより得られた映像信号は、ＨＤＭＩ（登録商標）を介して、ＨＤＲＴＶに出力される。ＨＤＲＴＶでは、ＨＤＭＩ（登録商標）を介して受信した映像信号に対してＨＤＲカラーマッピングが行われ、ディスプレイパネルに出力することで、映像をディスプレイパネルに表示する。
【００４０】
Ｂｌｕ−ｒａｙ（登録商標）機器がＳＤＲＴＶに接続されている場合、第１のＢＤに記録されているＨＤＲストリームは、Ｂｌｕ−ｒａｙ（登録商標）機器のビデオデコーダによりデコードされる。デコードされることにより得られた映像信号に対して、ＨＤＲからＳＤＲへのカラーマッピング処理（「輝度変換処理」または「リマップ」とも言う）が行われ、ＳＤＲの映像信号に変換される。変換されたＳＤＲの映像信号は、ＨＤＭＩ（登録商標）などの通信インタフェースを介して、ＳＤＲＴＶに出力される。ＳＤＲＴＶでは、ＨＤＭＩ（登録商標）を介して受信した映像信号に基づいて生成した映像をディスプレイパネルに表示する。
【００４１】
次に、第２のＢＤをＢｌｕ−ｒａｙ（登録商標）機器で再生する場合について説明する。
【００４２】
Ｂｌｕ−ｒａｙ（登録商標）機器がＨＤＲＴＶにＨＤＭＩ（登録商標）２．０以降の通信インタフェースにより接続されている場合、第２のＢＤに記録されているＳＤＲストリームは、Ｂｌｕ−ｒａｙ（登録商標）機器のビデオデコーダによりデコードされる。デコードされることにより得られた映像信号は、ＨＤＭＩ（登録商標）を介して、ＨＤＲＴＶに出力される。ＨＤＲＴＶでは、ＨＤＭＩ（登録商標）を介して受信した映像信号に対してＨＤＲカラーマッピングを行わずに、ディスプレイパネルに出力することで、映像をディスプレイパネルに表示する。なお、ＳＤＲＴＶに出力される場合も上記とほぼ同様の処理が行われる。
【００４３】
図２は、ハイブリッド型のＯＥＴＦを用いて作成されたＨＤＲストリームが記録されたＢＤを、Ｂｌｕ−ｒａｙ（登録商標）機器で再生する場合の処理内容を示す模式図である。
【００４４】
図２に示すように、この場合のＢＤは、映像の輝度値がハイブリッド型のＯＥＴＦを用いて量子化されたＨＤＲストリームが記録された第３のＢＤである。
【００４５】
第３のＢＤをＢｌｕ−ｒａｙ（登録商標）機器で再生する場合について説明する。また、図２以降では、ハイブリッド型のＯＥＴＦを用いて作成されたＨＤＲストリーム（以下、「ハイブリッド型ストリーム」とも言う。）に対応した処理の流れを一点鎖線の矢印で表記する。
【００４６】
Ｂｌｕ−ｒａｙ（登録商標）機器がＨＤＲＴＶにＨＤＭＩ（登録商標）２．０以降の通信インタフェースにより接続されている場合、第３のＢＤに記録されているＨＤＲストリームは、Ｂｌｕ−ｒａｙ（登録商標）機器のビデオデコーダによりデコードされる。デコードされることにより得られた映像信号は、ＨＤＭＩ（登録商標）を介して、ＨＤＲ対応の映像信号としてＨＤＲＴＶに出力される。ＨＤＲＴＶでは、ＨＤＭＩ（登録商標）を介して受信した映像信号に対してＨＤＲカラーマッピングが行われ、ディスプレイパネルに出力することで、映像をディスプレイパネルに表示する。
【００４７】
Ｂｌｕ−ｒａｙ（登録商標）機器がＳＤＲＴＶに接続されている場合、第３のＢＤに記録されているＨＤＲストリームは、Ｂｌｕ−ｒａｙ（登録商標）機器のビデオデコーダによりデコードされる。デコードされることにより得られた映像信号は、ＨＤＭＩ（登録商標）を介して、ＳＤＲ対応の映像信号としてＳＤＲＴＶに出力される。ＳＤＲＴＶでは、ＨＤＭＩ（登録商標）を介して受信した映像信号に基づいて生成した映像をディスプレイパネルに表示する。
【００４８】
なお、Ｂｌｕ−ｒａｙ（登録商標）機器がＳＤＲＴＶに接続されている場合、デコードされることにより得られた映像信号に対して、ＨＤＲからＳＤＲへのカラーマッピング処理が行われ、ＳＤＲの映像信号に変換（輝度変換）されてもよい。変換されたＳＤＲの映像信号は、ＨＤＭＩ（登録商標）などの通信インタフェースを介して、ＳＤＲＴＶに出力される。ＳＤＲＴＶでは、ＨＤＭＩ（登録商標）を介して受信した映像信号に基づいて生成した映像をディスプレイパネルに表示する。
【００４９】
次に、ハイブリッド型のＥＯＴＦの概要について図３〜図６を用いて説明する。
【００５０】
図３は、ハイブリッド型のＯＥＴＦおよびハイブリッド型のＥＯＴＦの概要について説明するための図である。図４は、各ＯＥＴＦについて比較するための図である。図５は、図４の暗部領域（低輝度領域）を拡大した図である。
【００５１】
まず、ＥＯＴＦについて説明する。ＥＯＴＦは、一般的にガンマカーブと呼ばれるものであり、輝度値とコード値との対応を示し、輝度値を量子化してコード値に変換するものである。つまり、ＥＯＴＦは、輝度値と複数のコード値との対応関係を示す関係情報である。例えば、ＳＤＲに対応した映像の輝度値を１０ビットの階調のコード値で表現する場合、１００ｎｉｔまでの輝度範囲における輝度値は、量子化されて、０−１０２３の１０２４個の整数値にマッピングされる。つまり、ＥＯＴＦに基づいて量子化することで、１
００ｎｉｔまでの輝度範囲の輝度値（ＳＤＲに対応した映像の輝度値）を、１０ビットのコード値であるＳＤＲ信号に変換する。ＨＤＲに対応したＥＯＴＦ（以下、「ＨＤＲのＥＯＴＦ」という。」）においては、ＳＤＲに対応したＥＯＴＦ（以下、「ＳＤＲのＥＯＴＦ」という。）よりも高い輝度値を表現することが可能であり、例えば図３においては、輝度の最大値（ピーク輝度）は１０００ｎｉｔｓである。つまり、ＨＤＲの輝度範囲は、ＳＤＲの輝度範囲を全て含み、ＨＤＲのピーク輝度は、ＳＤＲのピーク輝度より大きい。ＨＤＲの輝度範囲は、ＳＤＲの輝度範囲の最大値である例えば１００ｎｉｔから、１０００ｎｉｔまで、最大値を拡大した輝度範囲である。また、ＨＤＲ信号についても、例えば１０ビットの階調で表現される。
【００５２】
ＯＥＴＦは、ＥＯＴＦの逆関数である。つまり、ＥＯＴＦの反対の関係を用いれば、ＯＥＴＦを用いたことになるため、以下では、ＯＥＴＦを用いて映像の輝度値を量子化することを、同様の意味で、ＥＯＴＦを用いて映像の輝度値を量子化するとも言う。
【００５３】
グレーディング後の映像は、図３の（ａ）に示すＯＥＴＦにより量子化され、当該画像の輝度値に対応するコード値が決定される。このコード値に基づいて画像符号化などが行われ、エレメンタリ・ストリームが生成される。また、再生時には、エレメンタリ・ストリームの復号結果に対して、図３の（ｂ）に示すＥＯＴＦに基づいて逆量子化することにより、画素毎の輝度値が復元される。なお、図３の場合、ＳＤＲストリームの生成には、ＢＴ．１８８６のＯＥＴＦが用いられることにより量子化され、ＳＤＲストリームの再生には、ＢＴ．１８８６のＥＯＴＦが用いられることにより輝度値が復元される。また、ＨＤＲストリームの生成には、ハイブリッド型のＯＥＴＦが用いられることにより量子化され、ＨＤＲストリームの再生には、ハイブリッド型のＥＯＴＦが用いられることにより輝度値が復元される。なお、図３の場合には、ＨＤＲストリームの生成および再生には、それぞれハイブリッド型のＯＥＴＦおよびハイブリッド型のＥＯＴＦが用いられたが、ＰＱのＯＥＴＦおよびＰＱのＥＯＴＦを用いてもよい。
【００５４】
ハイブリッド型のＥＯＴＦは、例えば、ＢＢＣ（Ｂｒｉｔｉｓｈ  Ｂｒｏａｄｃａｓｔｉｎｇ  Ｃｏｒｐｏｒａｔｉｏｎ：英国放送協会）がＩＴＵ−Ｒに提案している、ＳＤＲＴＶに互換性があるＨＤＲのＥＯＴＦである。ＳＤＲＴＶに互換性があるＨＤＲのＥＯＴＦとは、ＨＤＲＴＶで表示させたときは、ＨＤＲの輝度範囲における映像の輝度値を復元でき、かつ、ＳＤＲＴＶで表示させたときは、ＳＤＲの輝度範囲における映像の輝度値を復元できるＥＯＴＦである。
【００５５】
具体的には、ハイブリッド型のＥＯＴＦの逆関数であるハイブリッド型のＯＥＴＦでは、暗部領域（低輝度領域）は、ＢＴ．１８８６と同じ特性によって量子化され、高輝度部分（領域）は、粗い量子化のステップサイズで量子化される。そして、ＳＤＲＴＶでは、高いコード値をＢＴ．１８８６のコード値として逆量子化する。つまり、ハイブリッド型のＨＤＲストリームは、ＳＤＲＴＶにおいて表示されるときに、高輝度領域が自動的にＳＤＲ信号の輝度範囲にリマップされることになる。
【００５６】
ハイブリッド型のＯＥＴＦは、図３に示すように、５０ｎｉｔよりも輝度値が小さい暗部領域（低輝度領域）において、ＢＴ．１８８６のＯＥＴＦ（ＳＤＲのＯＥＴＦ）と同じカーブを有している。つまり、ハイブリッド型のＯＥＴＦとＳＤＲのＯＥＴＦとは、暗部領域において、輝度値とコード値との関係が略等しい。例えば、ハイブリッド型のＯＥＴＦは、次の式１のように示される。これは、例えば、下記の文献「Ｗｈｉｔｅ  ｐａｐｅｒ  ｏｆ  ＢＢＣ’ｓ  ＥＯＴＦ  （ｈｔｔｐ：／／ｗｗｗ．ｂｂｃ．ｃｏ．ｕｋ／ｒｄ／ｐｕｂｌｉｃａｔｉｏｎｓ／ｗｈｉｔｅｐａｐｅｒ２８３）」に記載されている。
【００５７】
【数１】
0006583740.tif 000002
【００５８】
なお、式１は、Ｖが０からξまでの範囲では、ＢＴ．１８８６のＯＥＴＦと同じ関係式になることを示している。
【００５９】
ここで、図４および図５を参照し、ＰＱのＯＥＴＦとハイブリッド型のＯＥＴＦとを比較する。図４および図５には、ＳＤＲのＯＥＴＦとしてＢＴ．１８８６のＯＥＴＦが実線で表され、ハイブリッド型のＯＥＴＦとしてＢＢＣのＯＥＴＦのＬｍａｘ４が一点鎖線、ＢＢＣのＯＥＴＦのＬｍａｘ８が長い破線、ＰＱのＯＥＴＦが短い破線でそれぞれ表されている。なお、ＢＢＣのＯＥＴＦのＬｍａｘ４およびＬｍａｘ８は、互いにピーク輝度が異なる曲線であることが異なり、暗部領域においてＢＴ．１８８６のＯＥＴＦと同じカーブを有する点は同じである。
【００６０】
図４に示すように、ピーク輝度が１０００〜１２００ｎｉｔの場合は、ＰＱのＯＥＴＦは、コード値（ＣＶ（Ｃｏｄｅ  Ｖａｌｕｅ））が７５０以上の領域を使用することはできない。しかし、ＢＢＣのＯＥＴＦは、Ｌｍａｘ４およびＬｍａｘ８ともに、全てのコード値を使用することができる。つまり、ハイブリッド型のＯＥＴＦは、輝度範囲が０〜１０００ｎｉｔの範囲では、よりよい画質を実現できる。
【００６１】
また、図５に示すように、コード値が４００未満の領域では、ＢＴ．１８８６のＯＥＴＦと、ＢＢＣのＯＥＴＦのＬｍａｘ４およびＬｍａｘ８とは、ほとんど同じコード値である。つまり、ハイブリッド型のＯＥＴＦは、ＳＤＲＴＶ使用時であっても、低輝度領域における画質を維持できる。
【００６２】
図６Ａは、ＰＱのＯＥＴＦを用いて輝度値が量子化されたＨＤＲストリームをＨＤＲＴＶおよびＳＤＲＴＶに送信／配信する場合を説明するための図である。図６Ｂは、ハイブリッド型のＯＥＴＦを用いて輝度値が量子化されたＨＤＲストリームをＨＤＲＴＶおよびＳＤＲＴＶに送信／配信する場合を説明するための図である。
【００６３】
図６Ａに示すように、ＨＤＲストリームの生成にＰＱのＯＥＴＦを用いた場合には、ＢＤの再生時に、ユーザは、テレビの種類（つまり、ＳＤＲＴＶかＨＤＲＴＶか）に応じてＳＤＲディスクまたはＨＤＲディスクを選択する必要がある。一方で、図６Ｂに示すように、ＨＤＲストリームの生成にハイブリッド型のＯＥＴＦを用いた場合には、ユーザは、テレビの種類（つまり、ＳＤＲＴＶかＨＤＲＴＶか）を知る必要はなく、単にハイブリッド型のＯＥＴＦにより生成されたＨＤＲストリーム（ハイブリッド型ストリーム）が記録されているＨＤＲディスクを再生に使えばよい。
【００６４】
同様に、映像ストリームのネット配信を行う、いわゆるＯＴＴサービスでは、ハイブリッド型のＯＥＴＦを用いて量子化されたハイブリッド型ストリームを配信することは、ユーザの混乱を回避できる。
【００６５】
次に、ＯＴＴサービスについて説明する。
【００６６】
図７は、ＯＴＴサービスからのＳＤＲストリームおよびＨＤＲストリームがＴＶに提供される場合について説明するための図である。図８は、ＯＴＴサービスからのＳＤＲストリームおよびＨＤＲストリームがＢｌｕ−ｒａｙ（登録商標）機器またはＯＴＴ  ＳＴＢ（ｓｅｔ  ｔｏｐ  ｂｏｘ）を介してＴＶに提供される場合について説明するための図である。なお、図７では、ＳＤＲＴＶを４Ｋ／ＵＨＤＴＶと表記しており、ＨＤＲＴＶを４Ｋ／ＵＨＤＴＶ＋ＨＤＲと表記している。また、図８では、ＳＤＲＴＶを４ＫＴＶと表記しており、ＨＤＲＴＶをＮｅｘｔ  ｇｅｎｅｒａｔｉｏｎ  ４ＫＴＶと表記している。
【００６７】
図７に示すように、ＯＴＴサービス提供者がＳＤＲストリームおよびＨＤＲストリームの２つの映像ストリームを用意している場合、ＯＴＴサービス提供者は、ＯＴＴサービスに接続されたＴＶがＨＤＲＴＶであるか否かを判定し、ＴＶがＨＤＲＴＶの場合は、ＨＤＲストリームのみを提供する。また、ＴＶがＨＤＲＴＶの場合は、ＨＤＲストリームおよびＳＤＲストリームのいずれかをユーザに選択させるためのメニューを提供してもよい。後者の場合には、ＯＴＴサービス提供者は、メニューをＨＤＲＴＶに表示させるためのプログラムを提供し、ユーザによりＨＤＲストリームまたはＳＤＲストリームの選択がなされた場合には、選択された映像ストリームを当該ＨＤＲＴＶに提供する。
【００６８】
一方で、ＯＴＴサービス提供者は、ＯＴＴサービスに接続されたＴＶがＳＤＲＴＶの場合は、上述したメニューの提供を行わずに、ＳＤＲストリームを提供する。これにより、ＯＴＴサービス提供者は、ユーザからＨＤＲサービスの存在を隠すことができる。
【００６９】
これにより、ユーザは、自分が所有しているＴＶの種類（属性）やコンテンツの種類を意識することなく、ＴＶの種類（属性）に応じた適切なコンテンツを楽しむことができる。図７の場合では、ＨＤＲの静的メタデータの処理以外の符号化／配信システムに差はない。
【００７０】
次に、ＯＴＴサービスからのＳＤＲストリームおよびＨＤＲストリームがＴＶに提供される場合に行われる処理について説明する。
【００７１】
ＳＤＲストリームがＯＴＴサービス提供者から提供される場合には、ＳＤＲストリームは、ＳＤＲＴＶまたはＨＤＲＴＶのビデオデコーダにおいてデコードされ、デコードされた映像がディスプレイパネルに表示される。
【００７２】
ＨＤＲストリームがＯＴＴサービス提供者から提供される場合には、ＨＤＲストリームは、ＨＤＲＴＶのビデオデコーダにおいてデコードされる。そして、デコードされることにより得られた映像信号に対してＨＤＲカラーマッピングが行われ、ディスプレイパネルに出力することで、映像をディスプレイパネルに表示する。
【００７３】
また、図８に示すように、ＯＴＴサービスからのＳＤＲストリームおよびＨＤＲストリームがＢｌｕ−ｒａｙ（登録商標）機器（またはＯＴＴ  ＳＴＢ）を介してＴＶに提供される場合、Ｂｌｕ−ｒａｙ（登録商標）機器は、ＯＴＴサービスソフト上において、接続されているＴＶの属性（ＨＤＲＴＶ／ＳＤＲＴＶ）をＨＤＭＩ（登録商標）経由で取得し、取得したＴＶの属性を「接続ＴＶのＨＤＲ／ＳＤＲ判定フラグ」に格納する。Ｂｌｕ−ｒａｙ（登録商標）機器は、上記フラグをＯＴＴサービスのサーバに送り、図７で示したＴＶへの直接サービスと同様のコンテンツ選択を実現してもよい。
【００７４】
図９は、ＯＴＴサービスからのハイブリッド型ストリームがＴＶに提供される場合について説明するための図である。図１０は、ＯＴＴサービスからのハイブリッド型ストリームがＢｌｕ−ｒａｙ（登録商標）機器またはＯＴＴ  ＳＴＢ（ｓｅｔ  ｔｏｐ  ｂｏｘ）を介してＴＶに提供される場合について説明するための図である。
【００７５】
ＯＴＴサービス提供者は、ユーザがＰＱコンテンツ（つまり、ＰＱのＯＥＴＦにより量子化されることにより得られたＨＤＲストリーム）を見たいと考えた場合は、ＯＴＴサービスに接続されたＴＶがＨＤＲＴＶであるか否かを判定する必要がある。しかし、視聴し
たいコンテンツがハイブリッド型コンテンツ（つまり、ハイブリッド型のＯＥＴＦにより量子化されることにより得られたＨＤＲストリーム）の場合は、ＨＤＲおよびＳＤＲの区別を提示する必要や、映像ストリームを提供する対象となるＴＶのＨＤＲ／ＳＤＲ属性を確認する必要がなくなる。つまり、図９に示すように、ＯＴＴサービス提供者は、ハイブリッド型ストリームをＴＶの種別にかかわらず、提供する。
【００７６】
ただし、ハイブリッド型コンテンツであっても、ＳＤＲＴＶで視聴するより、ＨＤＲＴＶで視聴する方が、よりコンテンツ制作者の意図にあったコンテンツを視聴できる。このため、ＯＴＴサービス側が、ＳＤＲＴＶを認識した場合は、ハイブリッド型コンテンツであっても、ＨＤＲコンテンツであり、ＨＤＲＴＶで見た方が良い等の注意喚起の表示を出す機能をＯＴＴソフトモジュールに実装してもよい。
【００７７】
なお、図９の場合においても、ＨＤＲの静的メタデータの処理以外の符号化／配信システムに差はない。
【００７８】
次に、ＯＴＴサービスからのハイブリッド型ストリームがＴＶに提供される場合に行われる処理について説明する。
【００７９】
ハイブリッド型ストリームがＯＴＴサービス提供者から提供される場合には、ハイブリッド型ストリームは、ＳＤＲＴＶに提供された場合、ＳＤＲＴＶのビデオデコーダによりデコードされる。デコードされることにより得られた映像信号は、ＳＤＲ対応の映像信号としてＳＤＲＴＶに出力される。ＳＤＲＴＶでは、ＨＤＭＩ（登録商標）を介して受信した映像信号に基づいて生成した映像をディスプレイパネルに表示する。
【００８０】
ＨＤＲＴＶにハイブリッド型ストリームが提供された場合、ＨＤＲＴＶのビデオデコーダによりデコードされる。デコードされることにより得られた映像信号は、ＨＤＲカラーマッピングが行われ、ディスプレイパネルに出力されることで、映像がディスプレイパネルに表示される。
【００８１】
また、図１０に示すように、ＯＴＴサービスからのハイブリッド型ストリームがＢｌｕ−ｒａｙ（登録商標）機器（またはＯＴＴ  ＳＴＢ）を介してＴＶに提供される場合、Ｂｌｕ−ｒａｙ（登録商標）機器は、ＯＴＴサービスソフト上において、接続されているＴＶの属性（ＨＤＲＴＶ／ＳＤＲＴＶ）をＨＤＭＩ（登録商標）経由で取得し、取得したＴＶの属性を「接続ＴＶのＨＤＲ／ＳＤＲ判定フラグ」に格納する。しかし、Ｂｌｕ−ｒａｙ（登録商標）機器は、上記フラグをＯＴＴサービスのサーバに送る必要はない。このため、ユーザが見たいコンテンツがハイブリッド型ストリームかＰＱストリームかの判定を行い、これにより挙動を変えてもよい。
【００８２】
以上、説明したように、Ｂｌｕ−ｒａｙ（登録商標）機器などの再生装置は、接続されている表示装置がＳＤＲＴＶである場合に、入力された映像ストリームが、ハイブリッド型のＯＥＴＦに基づいて、量子化されているか否かを判定し、当該映像ストリームがハイブリッド型のＯＥＴＦに基づいて量子化されていると判定した場合（図２、図６Ｂ、図９または図１０の場合）は、当該映像ストリームに対して、ＨＤＲからＳＤＲに変換する輝度変換を行わずに、当該映像ストリームの再生を行うことで得られた第１の再生信号を出力し、当該映像ストリームがハイブリッド型のＯＥＴＦに基づいて量子化されていないと判定した場合（図１、図６Ａ、図７または図８の場合）は、当該映像ストリームに対して輝度変換および再生を行うことにより得られた第２の再生信号を出力する。なお、入力された映像ストリームは、ＢＤを読み取ることにより得られた映像ストリームであってもよいし、ＯＴＴサービス提供者から取得した映像ストリームであってもよい。
【００８３】
これにより、再生しようとしている映像ストリームの種別に関わらず、ユーザは、再生
しようとしている映像ストリームがハイブリッド型のＨＤＲストリームであるのか、ＰＱのＨＤＲストリームであるのかを意識せずに、ＴＶに映像ストリームを表示させることができる。また、表示しようとしているＴＶの種別がＳＤＲＴＶなのかＨＤＲＴＶなのかを意識しなくても、再生しようとしている映像ストリームをＴＶに表示させることができる。このため、ユーザは、表示装置に適切に映像を表示させることができる。
【００８４】
次に、次世代Ｂｌｕ−ｒａｙ（登録商標）用のＨＤＲの概要について説明する。
【００８５】
図１１は、次世代Ｂｌｕ−ｒａｙ（登録商標）用のＨＤＲの概要について説明するための図である。
【００８６】
オープンベースのＨＤＲ技術を必須（ｍａｎｄａｔｏｒｙ）として使用することで、４Ｋ／ＵＨＤＴＶおよび４Ｋ／ＵＨＤブルーレイのＨＤＲ機能のサポートのためには、大きな変更を必要とせず、開発が容易である。また、主要なＴＶのメーカは、独自の技術を使用することにより、ＨＤＲＴＶを開発できる。
【００８７】
一方で、コンテンツ制作者の懸念事項としては、ＨＤＲＴＶのＨＤＲ画質（図１１の矢印１が示す処理の結果）と、ブルーレイプレイヤーのＨＤＲからＳＤＲへの変換後の画質（図１１の矢印２が示す処理の結果）とがある。
【００８８】
図１２は、オープンベースのＨＤＲ技術の一例について説明するための図である。
【００８９】
図１２に示すように、ＢＤを再生することにより得られたＨＤＲストリームを出力した場合、ＨＤＲの画質（ハイエンドコンシューマ４Ｋ／ＵＨＤ  ＴＶ）としては、ピーク輝度が約３００〜５００ｎｉｔ（Ｘ［ｎｉｔ］）であるＨＤＲ画像１と、ピーク輝度が約６００〜１０００ｎｉｔ（Ｙ［ｎｉｔ］）であるＨＤＲ画像２とがある。
【００９０】
図１３は、オープンベースのＨＤＲ技術の他の一例について説明するための図である。
【００９１】
図１３に示すように、ＢＤを再生することにより得られたＨＤＲストリームを出力した場合、ＨＤＲからＳＤＲへの変換後の画質（ハイエンドコンシューマＨＤＴＶ）としては、リニアベースとガンマベースとがある。
【００９２】
図１４は、ＨＤＲマスターの仕様例（Ｍａｎｄａｔｏｒｙ  ｐａｒｔ）を示す表である。
【００９３】
図１４に示すように、ＨＤＲマスターの仕様例では、色域（Ｃｏｌｏｒ  ｓｐａｃｅ）は、ＹＣｂＣｒ  ＢＴ．２０２０（ｎｏｎ  ｃｏｎｓｔａｎｔ  ｌｕｍｉｎａｎｃｅ）である。階調（Ｂｉｔｓ）は、１０ｂｉｔｓである。ＥＯＴＦは、ＳＭＰＴＥ  ２０８４  ＥＯＴＦ（１０ｂｉｔｓ）である。静的メタデータの最大／最小輝度（Ｍａｘ／Ｍｉｎ  Ｌｕｍｉｎａｎｃｅ（ｓｔａｔｉｃ））は、Ｍａｓｔｅｒｉｎｇ  ｄｉｓｐｌａｙ  ｃｏｌｏｒ  ｖｏｌｕｍｅ  ＳＥＩ  ｍｅｓｓａｇｅ  ｏｆ  ＨＥＶＣ（ＭＰＥＧ  ａｄｏｐｔｉｏｎ  ｏｆ  ＳＭＰＴＥ２０８６  ｃａｒｒｉａｇｅ），  Ｔｉｔｌｅ  ｂｙ  Ｔｉｔｌｅである。
【００９４】
ＴＶにおけるＨＤＲカラーマッピングの実現方法の一例としては、ピーク輝度が１０００ｎｉｔとし、追加ＥＯＴＦ（装置は必須、ディスクはオプション）として、ハイブリッド型のＥＯＴＦを追加する。これにより、ハイブリッド型のＥＯＴＦのケースでは、ＣＰ（Ｃｏｎｔｅｎｔｓ  Ｐｒｏｖｉｄｅｒ）はＳＤＲストリームを追加する必要がない。
【００９５】
図１５は、各種ＢＤと、各種表示装置とに対応してＢｌｕ−ｒａｙ（登録商標）機器が行う処理内容の他の一例を示す模式図である。
【００９６】
ＨＤＲコンテンツ用にハイブリッド型のＥＯＴＦを使用する場合を考える。
【００９７】
コンテンツ制作時には、図１５に示すように、Ｂｌｕ−ｒａｙ（登録商標）機器においてＨＤＲからＳＤＲへの輝度変換を行わないため、ブルーレイ装置におけるＨＤＲからＳＤＲへの変換の画質について心配する必要はない。ただし、色空間の変換（ＢＴ．２０２０からＢＴ．７０９への変換）は、まだＨＤＲストリームのために必要とされる。解像度のダウンコンバージョン（４Ｋ／ＵＨＤからＨＤへの変換）は、まだ４Ｋ／ＵＨＤストリームのために必要とされる。
【００９８】
コンテンツ制作時には、ＨＤＲディスクにＳＤＲストリームを準備する必要はない。コンテンツ制作時に、ユーザがＳＤＲ  ＴＶを使っていたとしてもＨＤＲ画質をチェックできる。
【００９９】
図１６は、我々が提案するＨＤＲマスターの仕様（Ｍａｎｄａｔｏｒｙ  ｐａｒｔ）を示す表である。
【０１００】
図１６に示すように、ＨＤＲマスターの仕様では、色域（Ｃｏｌｏｒ  ｓｐａｃｅ）は、ＹＣｂＣｒ  ＢＴ．２０２０（ｎｏｎ  ｃｏｎｓｔａｎｔ  ｌｕｍｉｎａｎｃｅ）である。階調（Ｂｉｔｓ）は、１０ｂｉｔｓである。ＥＯＴＦは、ＳＭＰＴＥ  ２０８４  ＥＯＴＦ（１０ｂｉｔｓ）およびＢＢＣ（Ｌｍａｘ８）である。ピーク輝度は、１０００ｎｉｔ（オプションとして４０００ｎｉｔ）である。静的メタデータは、最大／最小輝度（Ｍａｘ／Ｍｉｎ  Ｌｕｍｉｎａｎｃｅ（ｓｔａｔｉｃ））、および、ＨＥＶＣ規格におけるＭａｓｔｅｒｉｎｇ  ｄｉｓｐｌａｙ  ｃｏｌｏｒ  ｖｏｌｕｍｅ  ＳＥＩ  ｍｅｓｓａｇｅ（ＭＰＥＧ  ａｄｏｐｔｉｏｎ  ｏｆ  ＳＭＰＴＥ２０８６  ｃａｒｒｉａｇｅ）を含む。静的メタデータはタイトル単位で固定である。また、動的メタデータは使用しない。
【０１０１】
図１７は、各種ＢＤと、各種表示装置とに対応してＢｌｕ−ｒａｙ（登録商標）機器が行う処理内容の他の一例を示す模式図である。図１７に示すように、Ｂｌｕ−ｒａｙ（登録商標）機器とＨＤＲＴＶまたはＳＤＲＴＶはＨＤＭＩ（登録商標）により接続されていてもよい。
【０１０２】
（参考情報）
図１８は、ＳＤＲＴＶでの輝度変換について説明するグラフである。図１８の（ａ）は、ＨＤＲストリームのダイナミックレンジをピーク輝度が１００ｎｉｔのＳＤＲに変換する変換処理を示す図である。図１８の（ｂ）は、ＨＤＲストリームのダイナミックレンジをピーク輝度が３００ｎｉｔのＳＤＲＴＶが表示可能な輝度範囲に変換する変換処理を示す図である。
【０１０３】
ＳＤＲＴＶは、１００ピーク輝度を超える画像の再生能力を有する（例えば、ディスプレイピーク輝度は２００〜３００ｎｉｔ）ものがある。このため、このようなＳＤＲＴＶでは、ＴＶの表示能力を用いることで、図１８の（ａ）に示す輝度変換ではなく図１８の（ｂ）に示すような輝度変換を行うことでＢＴ．７０９（１００ｎｉｔピーク）より明るい画像（例えば３００ｎｉｔピーク）を再生できる。つまり、各ＳＤＲＴＶは、独自の画像再生および強化アルゴリズムを有する。
【０１０４】
具体的には、ＳＤＲＴＶは、図１８に示すように、リニアな信号（ＨＤＲの輝度値）を、ＴＶが表示可能な輝度に合わせて、ＨＤＲストリームのダイナミックレンジを変換する輝度変換を行う。この輝度変換では、ＨＤＲの輝度値（入力輝度値）を、ディスプレイピ
ーク輝度（ＤＰＬ）を超えないディスプレイ輝度値（出力輝度値）に変換する。ＤＰＬは、ＳＤＲＴＶのピーク輝度（例えば３００ｎｉｔ）である。
【０１０５】
ここで、Ｋｎｅｅ  ｐｏｉｎｔおよびＣｌｉｐ  ｐｏｉｎｔは、ＥＯＴＦにおけるコード値に対応する輝度値と、表示装置において表示する輝度値との特性が変化する点を示す。具体的には、Ｋｎｅｅ  ｐｏｉｎｔおよびＣｌｉｐ  ｐｏｉｎｔは、ＥＯＴＦにより示される映像信号の輝度に対する、実際に表示する輝度値の増分を、１対１とは異なる値とする変化点を示す。例えば、Ｋｎｅｅ  ｐｏｉｎｔは、ＥＯＴＦにおいて線形変化からはずれる点を特定するための情報である。また、Ｃｌｉｐ  ｐｏｉｎｔは、表示の際に輝度値のクリップが開始される点を示す。ここでクリップとは、ある値以上の入力輝度値を同一の出力輝度値に変換することである。
【０１０６】
図１９は、ＨＤＲＴＶでの輝度変換について説明するグラフである。図１９の（ａ）は、ＨＤＲマスターのダイナミックレンジをピーク輝度が４０００ｎｉｔのＨＤＲの輝度範囲に変換する変換処理を示す図である。図１９の（ｂ）は、ＨＤＲマスターのダイナミックレンジをピーク輝度が例えば１０００ｎｉｔのＨＤＲＴＶが表示可能な輝度範囲に変換する変換処理を示す図である。
【０１０７】
ＨＤＲマスターは、ＨＤマスター（ＳＤＲマスター）よりも巨大なヘッドルーム（高輝度領域：例えば４０００ｎｉｔなどの１００ｎｉｔを超える輝度領域）を有することができる。ＨＤＲＴＶは、高いディスプレイピーク輝度（例えば１０００ｎｉｔ）を有してもよいが、ＨＤＲマスターのピーク輝度は、ＨＤＲＴＶのディスプレイピーク輝度よりもさらに高い。ＨＤＲＴＶは、ＨＤＲＴＶの能力を使用することでＨＤＲコンテンツ（４０００ｎｉｔピーク）未満のＨＤＲ画像（例えば１０００ｎｉｔピーク）を再生することができる。各ＨＤＲＴＶは、独自の画像再生および強化アルゴリズムを有する。
【０１０８】
具体的には、ＨＤＲＴＶは、図１９に示すように、リニアな信号（ＨＤＲマスターの輝度値）を、ＴＶが表示可能な輝度に合わせて、ＨＤＲストリームのダイナミックレンジを変換する輝度変換を行う。この輝度変換では、ＨＤＲの輝度値（入力輝度値）を、ディスプレイピーク輝度（ＤＰＬ）を超えないディスプレイ輝度値（出力輝度値）に変換する。ＤＰＬは、ＨＤＲＴＶのピーク輝度（例えば１０００ｎｉｔ）である。
【０１０９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１０】
以上、本開示の一つまたは複数の態様に係る表示方法および表示装置について、実施の形態に基づいて説明したが、本開示は、この実施の形態に限定されるものではない。本開示の趣旨を逸脱しない限り、当業者が思いつく各種変形を本実施の形態に施したもの、異なる実施の形態における構成要素を組み合わせて構築される形態なども、本開示の一つまたは複数の態様の範囲内に含まれてもよい。
【産業上の利用可能性】
【０１１１】
本開示は、表示装置に適切に映像を表示させることができる再生方法などとして有用である。
【図１】
0006583740.tif 000003
【図２】
0006583740.tif 000004
【図３】
0006583740.tif 000005
【図４】
0006583740.tif 000006
【図５】
0006583740.tif 000007
【図６Ａ】
0006583740.tif 000008
【図６Ｂ】
0006583740.tif 000009
【図７】
0006583740.tif 000010
【図８】
0006583740.tif 000011
【図９】
0006583740.tif 000012
【図１０】
0006583740.tif 000013
【図１１】
0006583740.tif 000014
【図１２】
0006583740.tif 000015
【図１３】
0006583740.tif 000016
【図１４】
0006583740.tif 000017
【図１５】
0006583740.tif 000018
【図１６】
0006583740.tif 000019
【図１７】
0006583740.tif 000020
【図１８】
0006583740.tif 000021
【図１９】
0006583740.tif 000022